(57)【要約】【課題】太陽光発電の監視又は評価を行う監視サーバ及び発電設備評価システムであって、発電設備の発電状態の評価を簡易且つ正確に行うことが可能な監視サーバ及び発電設備評価システムを提供することを課題とする。【解決手段】複数の太陽電池モジュール３１２を有する発電設備３００を個別に識別する発電設備識別情報が、該発電設備３００が設置された地域２００を識別する地域識別情報と関連付けされて記憶される記憶装置１０２と、対象発電設備３００の発電情報を取得する対象情報取得手段と、対象発電設備３００と同一の地域２００に設置された比較発電設備３００の発電情報を取得する比較情報取得手段と、取得された対象発電設備３００の発電情報と、比較発電設備３００の発電情報とに基づき、対象発電設備３００の発電状態を評価する評価手段とを備えている。【選択図】図５
2018101290.tif 000002
【特許請求の範囲】
【請求項１】
太陽光発電の監視を行う監視サーバであって、
複数の太陽電池モジュールを有する複数の発電設備を個別に識別する発電設備識別情報が、該発電設備が設置された地域を識別する地域識別情報と関連付けされて記憶される記憶装置と、
一の発電設備である対象発電設備の発電情報を取得する対象情報取得手段と、
前記対象発電設備の発電設備識別情報に関連付けされた地域識別情報によって識別された地域と同一地域に設置された他の発電設備である比較発電設備の発電情報を取得する比較情報取得手段と、
前記対象情報取得手段によって取得された上記対象発電設備の発電情報である対象情報と、前記比較情報取得手段によって取得された上記比較発電設備の発電情報である比較情報とに基づいて、該対象発電設備の発電状態を評価する評価手段とを備えた
ことを特徴とする監視サーバ。
【請求項２】
対象発電設備の発電量又は発電効率をシミュレーションによって導出するシミュレーション手段を備え、
前記評価手段は、シミュレーションによる結果も加味して、該対象発電設備の発電状態の評価を行う
請求項１に記載の監視サーバ。
【請求項３】
前記評価手段による過去の評価に対する原因究明結果と、該評価の際に用いた過去の対象情報及び比較情報とが関連付けされてなる情報、或いは該情報に用いて過去の対象情報及び比較情報に対する原因究明の結果を機械学習させた学習結果の情報を、参照情報として、取得する参照情報取得手段と、
該参照情報取得手段によって取得した参照情報に基づいて、前記評価手段による評価の原因を推定する原因推定手段とを備えた
請求項１又は２の何れかに記載の監視サーバ。
【請求項４】
前記原因推定手段によって推定された原因である推定原因に基づいて、上記対象発電設備の改善案を提案する提案手段と、
前記提案手段による提案を採用することにより、前記対象発電設備の発電状態が改善した場合、該提案にあたって利用された推定原因を、上記原因究明結果として、参照情報の一部に加える参照情報追加手段とを備えた
請求項３に記載の監視サーバ。
【請求項５】
太陽光発電の評価を行う発電設備評価システムであって、
複数の太陽電池モジュールを有する複数の発電設備と、
該発電設備とネットワークを介して接続された監視サーバとを備え、
該監視サーバは、
前記各発電設備を個別に識別する発電設備識別情報が、該発電設備が設置された地域を識別する地域識別情報と関連付けされて記憶される記憶装置と、
一の発電設備である対象発電設備の発電情報を取得する対象情報取得手段と、
前記対象発電設備の発電設備識別情報に関連付けされた地域識別情報によって識別された地域と同一地域に設置された他の発電設備である比較発電設備の発電情報を取得する比較情報取得手段と、
前記対象情報取得手段によって取得された上記対象発電設備の発電情報である対象情報と、前記比較情報取得手段によって取得された上記比較発電設備の発電情報である比較情報とに基づいて、該対象発電設備の発電状態を評価する評価手段とを有する
ことを特徴とする発電設備評価システム。
【発明の詳細な説明】
【技術分野】
【０００１】
本発明は、太陽光発電の監視を行う監視サーバ及び発電設備評価システムに関する。
【背景技術】
【０００２】
複数の太陽電池モジュールを有する発電設備と、該発電設備とネットワークを介して接続された監視サーバとを備え、該監視サーバは、各発電設備を個別に識別する発電設備識別情報が記憶される記憶装置と、一の発電設備である対象発電設備の発電情報を取得する対象情報取得手段と、上記対象発電設備の発電情報である対象情報に基づいて、該対象発電設備の発電状態を評価する評価手段とを有する発電設備評価システムが従来公知である。
【０００３】
このような監視サーバ及び発電設備評価システムの一例として、前記対象情報取得手段が、対象発電設備の一部の発電情報（具体的には、対象発電設備の一部を構成する一のストリングの発電量）を、その他の一部の発電情報（具体的には、その他のストリングの発電量）と比較して評価する監視サーバ及び発電設備評価システムが公知になっている（例えば、特許文献１を参照。）。
【先行技術文献】
【特許文献】
【０００４】
【特許文献１】特開２０１６−１３４９３０号公報
【発明の概要】
【発明が解決しようとする課題】
【０００５】
上記文献の監視サーバ及び発電設備評価システムは、対象発電設備の一部の発電情報を、その他の一部の発電情報と比較することによって、対象発電設備の発電状態の評価を、複雑な計算式を用いることなく、簡易に行うことが可能になる一方で、比較対象が同一の発電設備に限定されるため、例えば、発電状態を好転させている原因、或は悪化させている原因が対象発電設備の全体に及ぶものである場合には、正しい評価を行うことが難しい場合がある。
【０００６】
太陽光発電の監視又は評価を行う監視サーバ及び発電設備評価システムであって、発電設備の発電状態の評価を簡易且つ正確に行うことが可能な監視サーバ及び発電設備評価システムを提供することを課題とする。
【課題を解決するための手段】
【０００７】
上記課題を解決するため、本発明の監視サーバは、太陽光発電の監視を行う監視サーバであって、複数の太陽電池モジュールを有し且つ各地域に２以上設置された発電設備を個別に識別する発電設備識別情報が、該発電設備が設置された地域を識別する地域識別情報と関連付けされて記憶される記憶装置と、一の発電設備である対象発電設備の発電情報を取得する対象情報取得手段と、前記対象発電設備の発電設備識別情報に関連付けされた地域識別情報によって識別された地域と同一地域に設置された他の発電設備である比較発電設備の発電情報を取得する比較情報取得手段と、前記対象情報取得手段によって取得された上記対象発電設備の発電情報である対象情報と、前記比較情報取得手段によって取得された上記比較発電設備の発電情報である比較情報とに基づいて、該対象発電設備の発電状態を評価する評価手段とを備えたことを特徴とする。
【０００８】
対象発電設備の発電量又は発電効率をシミュレーションによって導出するシミュレーション手段を備え、前記評価手段は、シミュレーションによる結果も加味して、該対象発電設備の発電状態の評価を行うものとしてもよい。
【０００９】
前記評価手段による過去の評価に対する原因究明結果と、該評価の際に用いた過去の対象情報及び比較情報とが関連付けされてなる情報、或いは該情報に用いて過去の対象情報及び比較情報に対する原因究明の結果を機械学習させた学習結果の情報を、参照情報として、取得する参照情報取得手段と、該参照情報取得手段によって取得した参照情報に基づいて、前記評価手段による評価の原因を推定する原因推定手段とを備えたものとしてもよい。
【００１０】
前記原因推定手段によって推定された原因である推定原因に基づいて、上記対象発電設備の改善案を提案する提案手段と、前記提案手段による提案を採用することにより、前記対象発電設備の発電状態が改善した場合、該提案にあたって利用された推定原因を、上記原因究明結果として、参照情報の一部に加える参照情報追加手段とを備えたものとしてもよい。
【００１１】
一方、本発明の発電設備評価システムは、太陽光発電の評価を行う発電設備評価システムであって、複数の太陽電池モジュールを有し且つ各地域に２以上設置された発電設備と、該発電設備とネットワークを介して接続された監視サーバとを備え、該監視サーバは、前記各発電設備を個別に識別する発電設備識別情報が、該発電設備が設置された地域を識別する地域識別情報と関連付けされて記憶される記憶装置と、一の発電設備である対象発電設備の発電情報を取得する対象情報取得手段と、前記対象発電設備の発電設備識別情報に関連付けされた地域識別情報によって識別された地域と同一地域に設置された他の発電設備である比較発電設備の発電情報を取得する比較情報取得手段と、前記対象情報取得手段によって取得された上記対象発電設備の発電情報である対象情報と、前記比較情報取得手段によって取得された上記比較発電設備の発電情報である比較情報とに基づいて、該対象発電設備の発電状態を評価する評価手段とを有することを特徴とする。
【発明の効果】
【００１２】
本発明は、対象発電設備と同一の地域に設置されている比較発電設備の発電情報を利用することにより、該対象発電設備の発電状態の評価を簡易且つ正確に行うことができる。
【図面の簡単な説明】
【００１３】
【図１】本発明を適用した監視システムの構成を概念的に示す概念図である。
【図２】発電設備の構成を概念的に示す概念図である。
【図３】監視サーバ、ユーザ端末及び計測装置の構成を示すブロック図である。
【図４】記憶装置に記憶される情報のデータ構造を概念的に示す概念図である。
【図５】評価部が発電設備を評価する際の処理の流れを示すフロー図である。
【図６】評価部による評価結果の表示内容の一例を示す画面である。
【図７】評価部による評価結果の表示内容の一例を示す画面である。
【図８】原因推知・提案部を利用する情報のデータ構造を概念的に示す概念図である。
【図９】原因推知・提案部による原因推定及び改善案提案の処理の流れを示すフロー図である。
【図１０】参照情報追加部によって参照情報の一部を追加する際の処理の流れを示したフロー図である。
【発明を実施するための形態】
【００１４】
図１は、本発明を適用した監視システムの構成を概念的に示す概念図である。監視システム（発電設備評価システム，発電所評価システム）は、監視サーバ（発電設備評価サーバ，発電所評価サーバ）１００と、一の地域２００に少なくとも２つ以上設置された発電設備（発電所）３００と、ユーザの情報端末であるユーザ端末４００を備えている。
【００１５】
上記地域２００は、市町村毎に区画してもよいし、都道府県毎に区画してもよいし、システム管理者が独自に区分けをして定義してもよいが、求められる条件は、同一の地域２００において、同一又は略同一の気象条件となるような区分けを行う。ちなみに、図１に示す例では、３つの地域３００が「地域Ａ」、「地域Ｂ」及び「地域Ｃ」として、示されている。
【００１６】
上記発電設備３００は太陽光発電を行う。その詳細は後述する。
【００１７】
上記監視サーバ１００は、各発電設備３００から発電量及び発電効率等の発電情報を取得し、該発電設備の発電状態の評価等を行う。
【００１８】
上記ユーザ端末４００は、監視サーバ１００を介して、所定の発電設備３００の発電状態を取得する。
【００１９】
図２は、発電設備の構成を概念的に示す概念図である。発電設備３００は、太陽光発電を行う発電部３０１と、発電部３０１によって発電した電力を集約する接続ユニット（接続箱）３０２と、接続箱３０２からの直流電圧を交流電圧に変換するインバータ等を含むパワーコンディショナー３０３と、該パワーコンディショナー３０３によって交流変換された電力を、配電する配電盤３０４と、該配電盤３０４からの電力供給によって充電されるとともに充電した電力を該配電盤３０４に放電する蓄電池３０６と、前記配電盤３０４から売電される電力量を計測する売電量電力メータ３０７と、前記配電盤３０４から電力が供給される内部設備３０８を備えている。
【００２０】
上記発電部３０１は、一又は複数の太陽電池アレイ（アレイ）３０９によって構成されている。アレイ３０９は、並列接続された複数の太陽電池ストリング（ストリング）３１１によって構成されている。太陽電池ストリング３１１は、直列接続された複数の太陽電池モジュール（モジュール）３１２を有している。各モジュール３１２は、複数のセル３１２ａによって構成されている。
【００２１】
上記配電盤３０４は、発電部３０１から供給される電力を、蓄電池３０６、内部設備３０８に供給するとともに、外部に売電する。また、蓄電池３０６からの電力を内部設備３０８に供給する。
【００２２】
また、発電部３０１の発電量は、発電設備３００の一部を構成する計測装置５００（図３参照）によって計測され、その計測結果は前記計測装置５００によって監視サーバ１００に送信される。
【００２３】
図３は、監視サーバ、ユーザ端末及び計測装置の構成を示すブロック図である。計測装置５００は、ＣＰＵ及びＲＡＭ等によって構成された制御部５０１を備えている。この制御部５０１は、ＲＡＭ上に実行されるプログラムによって、各種機能を実装可能である。制御部５０１の入力側には、計測対象となる発電設備３００で発電した電力を計測するセンサ等の電力計測手段５０２が接続されている。
【００２４】
本例では、前記制御部５０１は、この電力計測手段５０２によって、モジュール３１２毎に、発電量を計測する。なお、この計測はストリング３１１毎に行ってもよく、また、アレイ３０９毎に行ってもよく、さらには、発電設備３００毎に行ってもよい。
【００２５】
制御部５０１には、記憶装置５０３と、無線又は有線式の通信インターフェース５０４とが入出力可能に接続されている。通信インターフェース５０４は、制御部５０１がインターネット等のグローバルなネットワーク６００を介して監視サーバ１００と通信することを可能にさせる。制御部５０１は、記憶装置５０３に各種情報を書込むとともに、該記憶装置５０３に記憶された情報を読込む。ちなみに、この記憶装置５０３には、やり取りを行う監視サーバ１００の接続情報や、その接続の際の認証情報等が少なくとも記憶されている。
【００２６】
そして、制御部５０１は、電力計測手段５０２によって計測した電力量のデータである測定データを、自身の記憶装置５０３に記憶するとともに、通信インタ―フェース５０４によって監視サーバ１００に送信する。また、制御部５０１は、監視サーバ１００からの要求に応じて、自身の記憶装置５０３に記憶に記憶された電力量のデータを、該監視サーバ１００に送信する。
【００２７】
監視サーバ１００は、マイコン、ＲＡＭ及びＲＯＭ等がユニット化された制御部１０１を備えている。この制御部１０１は、ＲＡＭ上に実行されるプログラムによって、各種機能を実装可能である。
【００２８】
具体的には、Ｗｅｂサーバ等として機能し且つユーザ端末４００に対して各種情報を提供する情報提供部１０１ａと、各発電設備３００の発電状態の評価を行う評価部１０１ｂと、該評価部１０１ｂによる評価の原因を推定原因として推定し、この推定原因に基づいて、前記評価を改善させるための改善案の提案を行う原因推定・提案部１０１ｃと、該原因推定・提案部１０１ｃによる原因推定の際に参照する参照情報を逐次追加する参照情報追加部１０１ｄと、参照情報から正確に原因推定させるために機械学習する機械学習部１０１ｅの機能が制御部１０１に実装されている。
【００２９】
制御部１０１には、記憶装置１０２と、無線又は有線式の通信インターフェース１０３とが入出力可能に接続されている。通信インターフェース１０３は、制御部１０１がインターネット等のグローバルなネットワーク６００を介して計測装置５００及びユーザ端末４００と通信することを可能にさせる。制御部１０１は、記憶装置１０２に各種情報を書込むとともに、該記憶装置１０２に記憶された情報を読込む。
【００３０】
図４は、記憶装置に記憶される情報のデータ構造を概念的に示す概念図である。監視サーバ１００の記憶装置１０２に記憶される情報のデータ構造は、従来公知のリレーショナブルデータベースであり、地域テーブル１０２ａと、発電設備テーブル１０２ｂと、アレイテーブル１０２ｃと、ストリングテーブル１０２ｄと、モジュールテーブル１０２ｅと、発電情報テーブル１０２ｆが用意されている。
【００３１】
地域テーブル１０２ａは、フィールドとして、地域毎に個別に異なる値で付されるイニシャルＩＤである「地域ＩＤ」と、地域名を入力する「地域名」とを有している。
【００３２】
発電設備テーブル１０２ｂは、フィールドとして、イニシャルＩＤである「発電設備ＩＤ」と、その発電設備の名称を入力する「発電設備名」と、その発電設備３００に設置された計測装置５００への接続情報や該接続の際の認証情報等が入力される「計測装置情報」と、その発電設備３００が設置されている地域のイニシャルＩＤを入力する「地域ＩＤ」とを有している。
【００３３】
すなわち、地域テーブル１０２ａと発電設備テーブル１０２ｂとは、一対多のリレーションシップによって、関連付けがされている。言換えると、発電設備３００の識別情報である発電設備識別情報（発電設備ＩＤ，発電設備テーブル１０２ｂ）は、地域２００の識別情報である地域識別情報（地域ＩＤ，地域テーブル１０２ａ）と関連付けされて、記憶装置１０２に記憶されている。
【００３４】
アレイテーブル１０２ｃは、フィールドとして、イニシャルＩＤである「アレイＩＤ」と、そのアレイ３０９が設置された発電設備３００のイニシャルＩＤを入力する「発電設備ＩＤ」とを有している。
【００３５】
すなわち、発電設備１０２ｂとアレイテーブル１０２ｃとは、一対多のリレーションシップによって、関連付けがされている。言換えると、アレイ３０９の識別情報（アレイＩＤ，アレイテーブル１０２ｃ）は、発電設備３００の識別情報（発電設備ＩＤ，発電設備テーブル１０２ｂ）と関連付けされて、記憶装置１０２に記憶されている。
【００３６】
ストリング１０２ｄは、フィールドとして、イニシャルＩＤである「ストリングＩＤ」と、そのストリング３１１によって少なくとも一部が構成されたアレイ３０９のイニシャルＩＤを入力する「アレイＩＤ」とを有している。
【００３７】
すなわち、アレイテーブル１０２ｃとストリング１０２ｄとは、一対多のリレーションシップによって、関連付けがされている。言換えると、ストリング３１１の識別情報（ストリングＩＤ，ストリングテーブル１０２ｄ）は、アレイ３０９の識別情報（アレイＩＤ，アレイテーブル１０２ｃ）と関連付けされて、記憶装置１０２に記憶されている。
【００３８】
モジュール１０２ｅは、フィールドとして、イニシャルＩＤである「モジュールＩＤ」と、そのモジュール３１２によって少なくとも一部が構成されたストリング３１１のイニシャルＩＤを入力する「ストリングＩＤ」と、そのモジュール３１２の機能情報が入力される「機能情報」と、そのモジュール３１２の設置情報が入力される「設置情報」とを有している。
【００３９】
すなわち、ストリングテーブル１０２ｄとモジュール１０２ｅとは、一対多のリレーションシップによって、関連付けがされている。言換えると、モジュール３１２の識別情報（モジュールＩＤ，モジュールテーブル１０２ｅ）は、ストリング３１１の識別情報（ストリングＩＤ，ストリングテーブル１０２ｄ）と関連付けされて、記憶装置１０２に記憶されている。
【００４０】
上述の機能情報には、受光面の単位面に当たりの発電効率（放射された光の量に対する発電量）等の情報が含まれている。上述の設置情報には、そのモジュールが設置された日時や、位置や、向きや、姿勢や、その位置で電池を売った場合の単価（売電単価）等の情報が含まれている。
【００４１】
このようなデータ構造によって、各発電設備３００について、どのようなモジュール３１２（ストリング３１１，アレイ３０９）がどのような状態で設置されているのかが記憶装置１０２に記憶される。
【００４２】
なお、機能情報又は設置情報は、本例では、モジュール３１２単位で詳細に記憶させて管理しているが、これをストリング３１１単位やアレイ３１２単や発電設備３００単位で記憶して管理してもよい。この場合、ストリングテーブル１０２ｄやアレイテーブル１０２ｃや発電設備テーブル１０２ｂのフィールドに、機能情報や設置情報が追加される。
【００４３】
発電情報テーブル１０２ｆは、フィールドとして、イニシャルＩＤである「発電情報ＩＤ」と、実際の計測された発電量や発電効率等の発電情報を取得するモジュール３１２のイニシャルＩＤが入力される「モジュールＩＤ」と、そのモジュール３１２の前記発電情報が入力される「発電情報」と、該発電情報を取得した日時が入力される「日時」とを有している。
【００４４】
すなわち、発電情報テーブル１０２ｆとストリングテーブル１０２ｄとは、一対多のリレーションシップによって、関連付けがされている。言換えると、個々のその時の発電情報の識別情報（発電情報ＩＤ，発電情報テーブル１０２ｆ）は、モジュール３１２の識別情報（モジュールＩＤ，モジュールテーブル１０２ｅ）と関連付けされて、記憶装置１０２に記憶されている。
【００４５】
なお、発電情報テーブル１０２ｆは、モジュールテーブル１０２ｅに関連付けされ、モジュール３１２単位で発電情報を取得しているが、これをストリングテーブル１０２ｄやアレイテーブル１０２ｃや発電設備１０２ｂに関連付けし、これらの単位で発電情報を取得してもよい。この場合、ストリングテーブル１０２ｄ、アレイテーブル１０２ｃ又は発電設備テーブル１０２ｂに関連付けされた発電情報テーブル１０２ｇ，１０２ｈ，１０２ｉが用意され、これらの発電情報テーブル１０２ｇ，１０２ｈ，１０２ｉには、モジュールＩＤのフィールドの代わりに、「ストリングＩＤ」、「アレイＩＤ」、「発電設備ＩＤ」が加えられ、それぞれのテーブルと一対多のリレーションシップがなされる。
【００４６】
ちなみに、これらの情報を監視サーバ１００の記憶装置１０２に全て記憶させる場合、各発電設備３００の計測装置５００からは、所定時間の経過毎に、モジュール３１２毎、ストリング３１１毎、アレイ３０９毎、発電設備３００毎に、発電情報を送られてくる。
【００４７】
なお、発電設備３００の発電情報を、該発電設備３００の計測装置５００の記憶装置５０３に記憶させてもよく、この場合には、発電設備ＩＤのフィールドが省略されたアレイテーブル１０２ｃと同等のテーブルと、ストリングテーブル１０２ｄと同等のテーブルと、モジュール１０２ｅと同様のテーブルと、発電情報１０２ｆ，１０２ｇ，１０２ｈ，１０２ｉが該記憶装置５０３に設けられる。そして、これらの情報は、監視サーバ１００の求めに応じて、該監視サーバ１００に適宜送信させてもよいが、前記所定時間の経過毎に取得される複数の発電情報を、ある程度まとめて監視サーバ１００に送信させてもよい。
【００４８】
図５は、評価部が発電設備を評価する際の処理の流れを示すフロー図である。評価部１０１ｂは、ユーザ端末４００からの要求や、予め定めたスケジュールに基づいて、評価対象となる一の発電設備（対象発電設備）３００の発電状態の評価を行う。
【００４９】
評価部１０１ｂは、上記ような要求やスケジュールに基づいて処理が開始されると、ステップＳ１０１に進む。ステップＳ１０１は、評価対象特定手段を構成している。この評価対象特定手段は、上記スケジュール又は要求の内容を参照し、上記発電設備識別情報を利用して、評価対象を特定する。この評価対象は、複数の発電設備３００から、対象発電設備３００を特定するのみでもよいし、該対象発電設備３００を構成するアレイ３０９単位、ストリング３１１単位又はモジュール３１２単位で、評価を行ってもよく、さらには、該対象発電設備３００に設置された一又は複数のアレイ３０９、ストリング３１１又はモジュール３１２を評価対象として特定してもよい。この評価対象特定手段の処理が終了すると、ステップＳ１０２に進む。
【００５０】
ステップＳ１０２は、評価期間特定手段を構成している。この評価期間特定手段は、評価する期間（評価期間）を、１時間単位、１日単位、１週間単位、１ヶ月単位又は一年単位で指定するか、或いは、その期間の始期及び終期を日時や分秒等の時刻の単位で具体的に指定することにより、特定する。この特定の内容も、前記スケジュール又は要求の内容に含まれている。この評価期間特定手段の処理が終了すると、ステップＳ１０３に進む。
【００５１】
ステップＳ１０３は、対象情報取得手段を構成している。この対象情報取得手段は、評価対象となった対象発電設備３００自体の発電情報、該対象発電設備３００を構成する各アレイ３０９単位、ストリング３１１単位又はモジュール３１２単位の発電情報、或いは、該対象発電設備３００で評価対象となった一又は複数のアレイ３０９、ストリング３１１又はモジュール３１２のそれぞれの発電情報を、対象情報として、自身の記憶装置１０２から取得するか、或いはネットワーク６００を介して対象発電設備３００に設置されている計測装置５００から取得する。この対象情報取得手段の処理が終了すると、ステップＳ１０４に進む。
【００５２】
ステップＳ１０４は、比較情報取得手段を構成している。この比較情報取得手段は、まず、対象発電設備３００が設置された地域２００を、該対象発電設備３００の発電設備識別情報に関連付けされた地域識別情報に基づいて識別し、この地域２００に設置された一又は複数の発電設備を、比較発電設備３００として抽出し、該比較発電設備３００自体の発電情報、該比較発電設備３００を構成する各アレイ３０９単位、ストリング３１１単位又はモジュール３１２単位の発電情報、或いは、該比較発電設備３００で評価対象となった一又は複数のアレイ３０９、ストリング３１１又はモジュール３１２のそれぞれの発電情報を、比較情報として、自身の記憶装置１０２から取得するか、或いはネットワーク６００を介して比較発電設備３００に設置されている計測装置５００から取得する。
【００５３】
ちなみに、対象発電設備３００の対象情報と、比較発電設備３００の比較情報とは、比較可能なように同一の要素（例えば、対象発電設備３００自体の発電情報と、比較発電設備３００自体の発電情報）であることは必ずしも必要ではなく、発電量の情報から、単位面積当たりの単に時間当たりの発電量（発電効率）を算出すれば、比較可能である。また、対象発電設備３００と同一の地域２００に設置された他の全て発電設備３００を全て比較発電設備３００として抽出することは必須ではなく、その一部の発電設備３００のみを比較発電設備３００として抽出してもよい。
【００５４】
この比較情報取得手段の処理が終了すると、ステップＳ１０５に進む。
【００５５】
ステップＳ１０５は、シミュレーション手段を構成している。このシミュレーション手段は、その対象発電設備３００の発電設備テーブル１０２ｂ、アレイテーブル１０２ｃ、ストリングテーブル１０２ｄ及びモジュールテーブル１０２ｅ等の情報と、ネットワークインターフェース１０３によって、ネットワーク６００を介し、外部から取得される評価期間の温度や湿度や天気や日照量等の気象情報とに基づいて、発電量又は発電効率（具体的には、対象情報及び比較情報と比較可能な発電効率等の発電量）を、シミュレーション結果として、算出（導出）する。このシミュレーション手段の処理が終了すると、ステップＳ１０６に進む。
【００５６】
ステップＳ１０６は評価手段を構成している。この評価手段は、前記対象情報と、前記比較情報と、前記シミュレーション結果とを比較して、対象発電設備３００の発電状態の評価を行う。この評価手段の処理を終了すると、評価部１０１ｂは、一連の処理を終了させる。
【００５７】
図６，図７は、それぞれ評価部による評価結果の表示内容の一例を示す画面である。評価結果を示す画面（評価画面）４０１がユーザ端末４００等に表示される。
【００５８】
図６に示す例では、この評価画面４０１には、その評価によるランク付けの結果と、その評価期間内に対象発電設備３００の評価対象部分で発電した電力のトータルの売電価格（発電情報）と、その評価期間内に対象発電設備３００の評価対象部分で発電した電力の時間経過毎の売電価格（発電情報）と、その評価期間内に比較発電設備３００の評価対象部分で発電した電力の時間経過毎の売電価格（発電情報）又はシミュレーションによって算出された時間経過毎の売電価格（発電情報）とが表示されている。
【００５９】
図７に示す例では、この評価画面４０１には、その評価によるランク付けの結果と、その評価期間内に対象発電設備３００の評価対象部分で発電した電力のトータルの発電量（発電情報）と、その評価期間内に対象発電設備３００の評価対象部分で発電した電力の時間経過毎の発電量（発電情報）と、その評価期間内に比較発電設備３００の評価対象部分で発電した電力の時間経過毎の発電量（発電情報）又はシミュレーションによって算出された時間経過毎の発電量（発電情報）とが表示されている。
【００６０】
図６や図７に示す評価画面４０１は、本例では、情報提供部１０１ａによるＷｅｂ公開によって、ユーザ端末４００に表示される。また、この情報提供部１０１ａは、ランク付けの結果や、比較発電設備３００の発電情報を省略して、評価画面４０１を表示させてもよいし、評価を行わず、単に、所定期間内（１時間単位、１日単位、１週間単位、１ヶ月単位、一年単位）に発電設備３００の一部又は全部で発電した電力のトータルの売電価格又は発電量（発電情報）や、時間経過毎の売電価格又は発電量（発電情報）等を、ユーザ端末４００の画面に表示させてもよい。
【００６１】
ところで、この評価部４００による評価結果には、原因が存在し、その原因が分かれば、それを改善する改善案の提案も可能になり、このような原因の推定と、その推定された原因（推定原因）に基づく改善案の提案を、上述の原因推定・提案部１０１ｃが行う。ちなみに、この提案は、情報提供部１０１ａが、ネットワークインターフェース１０２により、ネットワーク６００を介し、ユーザ端末４００に対して行う。
【００６２】
図８は、原因推知・提案部を利用する情報のデータ構造を概念的に示す概念図である。同図に示す通り、記憶装置１０２には、原因推知・提案部１０１ｃが利用する従来公知のリレーショナブルデータベースとして、評価テーブル１０２ｐと、原因テーブル１０２ｑと、推定原因テーブル１０２ｒと、提案テーブル１０２ｓとが設けられている。
【００６３】
評価テーブル１０２ｐは、フィールドとして、イニシャルＩＤである「評価ＩＤ」と、その評価の対象（例えば、対象発電設備３００自体又は該対象発電設備３００を構成するアレイ３０９、ストリング３１１又はモジュール３１２）の情報が入力される「評価対象」と、その評価の期間が入力される「評価期間」と、評価対象の評価期間内の発電情報が対象情報として入力される「対象情報」と、その評価対象に対する比較発電設備３００の比較情報が入力される「比較情報」と、その評価の内容が入力される「評価情報」とを有している。この評価テーブル１０２ｐには、原則として、上記評価手段による評価毎に、その評価結果が格納される。
【００６４】
原因テーブル１０２ｑは、フィールドとして、イニシャルＩＤである「原因ＩＤ」と、その評価のイニシャルＩＤを入力する「評価ＩＤ」と、その評価に対して究明された原因が入力される「原因究明結果」を有している。すなわち、評価テーブル１０２ｐと原因テーブル１０２ｑとは、一対多のリレーションシップによって、関連付けがされている。ちなみに、この原因テーブル１０２ｑに格納される情報は後述する参照情報の一部であり、この情報は、上述した参照情報追加部１０１ｄによって逐次追加される。この参照情報追加部１０１ｄの構成は後述する。
【００６５】
推定原因テーブル１０２ｒは、フィールドとして、イニシャルＩＤである「推定原因ＩＤ」と、その評価のイニシャルＩＤを入力する「評価ＩＤ」と、その評価に対して推定された推定原因が入力される「推定原因」を有している。すなわち、評価テーブル１０２ｐと推定原因テーブル１０２ｒとは、一対多のリレーションシップによって、関連付けがされている。
【００６６】
提案テーブル１０２ｓは、フィールドとして、イニシャルＩＤである「提案ＩＤ」と、その評価のイニシャルＩＤを入力する「評価ＩＤ」と、その評価に対して提案された改善案が入力される「提案内容」を有している。すなわち、評価テーブル１０２ｐと提案テーブル１０２ｓとは、一対多のリレーションシップによって、関連付けがされている。
【００６７】
図９は、原因推知・提案部による原因推定及び改善案提案の処理の流れを示すフロー図である。原因推知・提案部１０１ｃは、評価部１０１ｂによる評価が下されるか、或いは、その評価に加えてユーザ端末４００からの要求がなされると、ステップＳ２０１から処理を開始する。
【００６８】
ステップＳ２０１は、原因推定対象特定手段を構成している。この原因推定対象特定手段は、その原因を推定する評価を特定する。この原因推定対象となる評価は、ユーザ端末４００からの要求内容を参照して特定してもよいし、その原因推知・提案部１０１ｃの処理を開始されるきっかけになった評価を原因推定対象として特定してもよい。この特定は、具体的には、評価ＩＤや評価テーブル１０１ｐ自体（評価識別情報）に基づいて、実行される。この原因推定対象特定手段の処理を終了すると、ステップＳ２０２に進む。
【００６９】
ステップＳ２０２は、参照情報取得手段を構成している。この参照情報取得手段は、前記評価手段による過去の評価に対する原因究明結果と、その原因究明の対象となる評価の際に用いた対象情報及び比較情報とが関連付けされてなる参照情報（具体的には、評価テーブル１０２ｐ及び原因テーブル１０２ｑに格納された該評価に関する情報）を取得する。この参照情報取得手段の処理を終了すると、ステップＳ２０３に進む。
【００７０】
ステップＳ２０３は、原因推定手段を構成している。この原因推定手段は、参照情報取得手段によって取得された参照情報に基づいて、その評価結果の原因を推定する。例えば、大抵の時間は、発電効率が良好であるにもかかわらず、お昼や夕方等の特定の時間にのみ発電効率が低下している場合には、その特定の時間帯に、その評価対象部分の発電設備３００、アレイ３０９、ストリング３１１又はモジュール３１２が太陽の陰になっている可能性があり、その旨が推定原因として、機械的に特定される。この特定された結果は、情報提供部１０１ａにより、ユーザ端末４００等に提供される他、上述した推定原因テーブル１０２ｒに格納される。この原因推定手段の処理が終了すると、ステップＳ２０４に進む。
【００７１】
ステップＳ２０４は、提案手段を構成している。提案手段は、原因推定手段によって推定された原因に基づいて、上記改善案を提案する。この改善案の提案も、情報提供部１０１ａによって、ユーザ端末４００等に対して実行される。また、この改善案の内容は、提案毎に提案テーブル１０２ｓに格納される。この原因推定手段の処理が終了すると、原因推知・提案部１０１ｃは一連の処理を終了させる。
【００７２】
図１０は、参照情報追加部によって参照情報の一部を追加する際の処理の流れを示したフロー図である。参照情報追加部１０１は、ステップＳ３０１から処理を開始する。ステップＳ３０１は、参照情報の一部である原因究明結果の追加が有か否かを確認し、無ければステップＳ３０１の処理を繰返す一方で、原因究明結果の追加が有れば、ステップＳ３０２に進む。
【００７３】
ちなみに、原因究明結果の追加がある場合とは、例えば、ある評価に対して実際に究明された原因究明結果がユーザ端末４００等から入力された場合がこれに該当する。また、改善案の提案を採用し、その結果、発電状態が改善されたことを条件として、推定原因を、原因究明結果とみなす処理を、ユーザ端末４００等によって行った場合も、原因究明結果の追加がある場合に該当する。
【００７４】
ステップＳ３０２は、参照情報追加手段を構成している。この参照情報追加手段は、実際に入力された原因究明結果を、その評価と関連付けさせて、原因テーブル１０２ｑに、登録する処理や、原因究明結果とみなす情報を、推定原因テーブル１０２ｑから取得し、この取得データを、原因テーブル１０２ｑに格納させる処理を行う。
【００７５】
ちなみに、上述した通り、評価に用いた対象情報及び比較情報と、原因究明結果とを直接的に用いて、上記原因推定を行ってもよいが、前記対象情報及び比較情報を入力データ、前記原因究明結果を出力データとして、上述の機械学習部１０１ｅにより、パターンを機械学習させてもよい。この機械学習は、ディープラーニングやニューラルネットワークや遺伝子アルゴリズム等の従来公知の有用な学習アルゴリズムを用いて、制御部１０１に実装させる。この学習結果を参照情報として、利用することにより、より正確に原因推定を行うことが可能になる。
【００７６】
以上のように構成される監視サーバ及び監視システムによれば、対象発電設備３００と同一の気象条件が期待できる同一地域の比較発電設備３００の一部又は全部の発電状態を利用して、該対象発電設備３００の一部又は全部の発電状態を簡易且つ正確に評価できる。また、その評価に併せて、その原因や、その原因に基づいて改善案の提案がなされるため、有意義である。
【００７７】
なお、図３に仮想線に示す通り、原因推定や、提案や、参照情報の逐次更新を、別サーバである提案サーバ（監視サーバ）７００に担当させ、監視サーバ１００を評価専用の評価サーバとして機能させてもよい。この提案サーバ７００も、制御部１０１と同様の機能を搭載させることが可能な制御部７０１と、各種データベースを構築可能な記憶装置７０２と、ネットワーク６００を介した通信を行うことが可能な通信インターフェース７０３とを備え、この制御部７０１には、上述の情報提供部１０１ａ、原因推定・提案部１０１ｃ、参照情報追加部１０１ｄ及び機械学習部１０１ｅと同一又は略同一構成の情報提供部７０１ａ、原因推定・提案部７０１ｃ、参照情報追加部７０１ｄ及び機械学習部７０１ｅが実装されている。また、図７に示すデータ構造と同一のデータ構造を、記憶装置７０２に構築する。
【符号の説明】
【００７８】
１００  監視サーバ（発電設備評価サーバ，発電所評価サーバ）
１０１  記憶装置
２００  地域
３００  発電設備
３１２  モジュール（太陽電池モジュール）
６００  ネットワーク（インターネット，グローバルネットワーク）
【図１】
2018101290.tif 000003
【図２】
2018101290.tif 000004
【図３】
2018101290.tif 000005
【図４】
2018101290.tif 000006
【図５】
2018101290.tif 000007
【図６】
2018101290.tif 000008
【図７】
2018101290.tif 000009
【図８】
2018101290.tif 000010
【図９】
2018101290.tif 000011
【図１０】
2018101290.tif 000012